(57)【要約】【課題】標準的なストラップよりも長さを調節できる範囲が大きなストラップと、そのストラップが取り付けられたバッグを提供する。【解決手段】ひも３の一つの端３ｂまたは両方の端を、長さ調節用器具の中軸４ｂまたはコキカンに取り外し可能に取り付けて、標準的なストラップと同じようにひもが二重になる長さを変えてストラップの長さを調節することに加えて、ひもを取り外してストラップの長さを調節することができるようにする。ひもの一つの端または両方の端の端部に一対の羽状部７，７を形成し、その羽状部に面ファスナー７ａ，７ａを取り付けて、面ファスナーをはがしたり貼り付けたりするだけで、簡単にひもをコキやコキカンから取り外したり取り付けたりすることができるようにする。【選択図】図４
2019084087.tif 000002
【特許請求の範囲】
【請求項１】
長さを調節できるストラップであって、
前記ストラップが、ひもと、枠体とその枠体の内側に配設された中軸とを備えた長さ調節用器具と、環体とからなり、
前記ひもの一端または両端が、前記長さ調節用器具の枠体の中軸または前記環体に取り外し可能に取り付けられていることを特徴とするストラップ。
【請求項２】
前記ひもが、その一端または両端の端部に一対の羽状部を有し、
前記羽状部に面ファスナーを備えていることを特徴とする請求項１に記載のストラップ。
【請求項３】
請求項１または請求項２に記載のストラップが取り付けられていることを特徴とするバッグ。
【発明の詳細な説明】
【技術分野】
【０００１】
この発明は、長さを調節できるストラップに関し、標準的なストラップよりも長さを調節できる範囲が大きなストラップと、そのストラップが取り付けられたバッグに関する。
【背景技術】
【０００２】
長さを調節できるストラップとしては、標準的に、長さ調節用器具（以下、コキという。）の中軸に通した肩ひもを、環（かん）体（以下、コキカンという。）に通したものが使われている。この標準的なストラップでは、コキカンに通した肩ひもの端部が、コキの中軸に巻き付いた状態で肩ひもと一緒にミシン掛けされて、コキの中軸に取り付られている。そして、この標準的なストラップでは、コキとコキカンの距離、言い換えると肩ひもが二重になる長さを変えて、ストラップの長さを調節できるようになっている。
【０００３】
別の長さを調節できるストラップとしては、肩ひもをコキから引き出す操作片を肩ひもの一端側に面ファスナーで固定することで、ストラップの長さを調節できるようにしたものが提案されている（例えば、特許文献１参照）。このストラップでは、操作片を引っ張って肩ひもをコキから引き出し、操作片の裏側の面ファスナーを、肩ひもの一端側の面ファスナーに係合させてストラップを縮めた状態、より正しくはストラップを折り畳んだ状態にできるようになっている。また、このストラップでは、操作片を引っ張って面ファスナーの係合を解き、肩ひもをコキに引き入れるとストラップを伸ばした状態、より正しくはストラップを広げた状態にできるようになっている。
【０００４】
発明者による以前に発明したストラップとしては、コキカンに取り付けられた肩ひもを、コキの枠体のうち中軸と平行な一辺に通してからコキカンに通し、コキカンに通した肩ひもを、コキの中軸に通したものが提案されている（例えば、特許文献２参照）。このストラップでは、肩ひもをコキとコキカンの間で３重にすることで、標準的なストラップに比べて、長さ調節機能を約２倍に向上させることができるようになっている。
【先行技術文献】
【特許文献】
【０００５】
【特許文献１】特開２００９−１６５７７３号公報（段落０００７，００１８，００１９、図３）
【特許文献２】特開２０１５−７７２５２号公報（段落００２３、図２）
【発明の概要】
【発明が解決しようとする課題】
【０００６】
しかしながら、前記標準的な長さを調節できるストラップでは、肩ひもが二重になる長さを変えてストラップの長さを調節できるようになっているために、長さを調節できる範囲は、肩ひもの全長の長さから、全長の半分弱の長さまでである。
【０００７】
前記特許文献１に係るストラップでは、肩ひもを折り畳んだり広げりたりしているために、長さを調節できる範囲は標準的なストラップよりも大きいところ、肩ひもを広げた状態と折り畳んだ状態の２段階にしか長さを調節できない。また、前記特許文献１に係るストラップでは、肩ひもを折り畳んでいるために、肩ひもの長さを調節して使うこと、言い換えると肩ひもの短い状態で使うことを想定したものではない。
【０００８】
発明者による以前に発明したストラップでは、肩ひもが３重になる長さを変えてストラップの長さを調節できるようにしたので、長さを調節できる範囲を肩ひもの全長の長さから全長の３分の１弱の長さまでと、標準的なストラップよりも大幅に大きくすることに成功した。ところが、発明者による以前に発明したストラップでは、肩ひもの通し方が標準的なストラップと異なるために、職人が手間取ることがあった。また、発明者による以前に発明したストラップでは、肩ひもの通し方が標準的なストラップよりも複雑で、肩ひもを縫う箇所も増えるために、手作業が煩雑になり、職人により高度な手作業を求めることになった。その結果として、発明者による以前に発明したストラップでは、長さを調節できる範囲が標準的なストラップよりも大幅に大きいものの、商品をお求めになりやすい価格で提供することは困難であった。
【０００９】
そこで、この発明では、前記した課題を解決し、特に標準的なストラップよりも長さを調節できる範囲が大きなストラップと、そのストラップが取り付けられたバッグを提供することを目的とする。
【課題を解決するための手段】
【００１０】
前記課題を解決するため、請求項１に係る発明では、ひもと、枠体とその枠体の内側に配設された中軸とを備えた長さ調節用器具（以下、コキという。）と、環（かん）体（以下、コキカンという。）とからなる長さを調節できるストラップについて、ひもの一端または両端を、コキの中軸またはコキカンに取り外し可能に取り付けた。
【００１１】
請求項２に係る発明では、ひもの一端または両端の端部に一対の羽状部を形成し、その羽状部に面ファスナーを取り付けた。
【００１２】
請求項３に係る発明では、前記請求項１と前記請求項２に係る発明であるストラップを、バッグに取り付けた。
【発明の効果】
【００１３】
請求項１に係る発明によれば、ひもの一端または両端をコキまたはコキカンに取り外し可能に取り付けたので、お客様でも簡単に、ひもをコキやコキカンから取り外したり取り付けたりすることができる。そして、標準的なストラップでは、肩ひもの端部がミシン掛けされているために肩ひもをコキから取り外せないところ、請求項１に係る発明では、簡単にひもをコキやコキカンから取り外したり取り付けたりできるので、標準的なストラップと同じようにひもが二重になる長さを変えてストラップの長さを調節することに加えて、ひもを取り外してストラップの長さを調節することができる。
【００１４】
ここで、ひもを取り外してストラップの長さを調節することについて詳しく説明すると、請求項１に係る発明によれば、簡単にひもをコキやコキカンから取り外したり取り付けたりできるので、ひもをコキやコキカンから取り外し、取り外したひもを端部から折り畳み、折り畳んで短くしたひもをコキやコキカンに取り付け直すことで、標準的なストラップの長さを調節できる範囲を超えて、より短い範囲までストラップの長さを調節することができる。
【００１５】
このように、請求項１に係る発明によれば、標準的なストラップの長さを調節できる範囲を超えて、より短い範囲までストラップの長さを調節することができるので、ひもの長さを標準的なストラップより、例えば二、三十ｃｍほど長くしても、標準的なストラップの長さまで短くすることができる。そこで、請求項１に係る発明によれば、ひもの長さを標準的なストラップより、例えば二、三十ｃｍほど長くしておくと、体格が一段と大きい方でもストラップをたすき掛けにすることができる。
【００１６】
また、請求項１に係る発明によれば、ひもの一端または両端をコキまたはコキカンに取り外し可能に取り付けたので、言い換えると発明者による以前の発明と異なり、標準的なストラップと同じひもの通し方やわずかに違うひもの通し方なので、職人が手間取ることもない。
【００１７】
さらに、請求項１に係る発明によれば、ひもの一端または両端をコキまたはコキカンに取り外し可能に取り付けたので、ひもをコキやコキカンに縫い止める箇所が減り、職人の手作業を楽にすることもできる。
【００１８】
請求項２に係る発明によれば、ひもの一端または両端の端部に一対の羽状部を形成し、その羽状部に面ファスナーを取り付けたので、面ファスナーをはがしたり貼り付けたりするだけで、簡単にひもをコキやコキカンから取り外したり取り付けたりすることができる。そこで、請求項２に係る発明によれば、店頭や自宅で簡単にストラップの長さを調節することができる。
【００１９】
請求項３に係る発明によれば、請求項１と請求項２のストラップをバッグに取り付けたので、体格が一段と大きい方でも、ストラップのサイズを気にしないでバッグをお求めいただくことができる。特に、ショルダーバッグに請求項１と請求項２のストラップを取り付けると、体格が一段と大きい方でもショルダーバッグをたすき掛けにしてお使いいただくことができる。
【００２０】
また、請求項３に係る発明によれば、請求項１と請求項２のストラップが、標準的なストラップの長さを調節できる範囲を超えて、より大きな範囲でストラップの長さを調節することができるので、請求項１と請求項２のストラップをバッグに取り付けると、肩掛けのショルダーバッグとしても、腰巻きのウエストバッグやヒップバッグとしても使うことができる。
【図面の簡単な説明】
【００２１】
【図１】実施形態に係るストラップが取り付けられたショルダーバッグの斜視図である。
【図２】実施形態に係るストラップの斜視図である。
【図３】（ａ）は実施形態に係るストラップの要部斜視図であり、（ｂ）は標準的な長さを調節できるストラップの要部斜視図である。
【図４】（ａ）は実施形態に係るストラップの長さを調節する仕組みを説明する斜視図のうち、調節前の状態を示す斜視図であり、（ｂ）は調節途中の状態を示す斜視図であり、（ｃ）は調節後の状態を示す斜視図である。
【図５】他の実施形態に係るストラップの斜視図である。
【図６】他の実施形態に係るストラップの斜視図である。
【図７】他の実施形態に係るストラップが取り付けられたボディーバッグの斜視図である。
【発明を実施するための形態】
【００２２】
まず、この発明の創作の基礎となる事項について簡単に説明する。出願人は１９８３年創業のバッグ製造メーカーであり、永きにわたり大手アパレルと物作りに取り組むことで培った、製品に対する徹底した品質管理、最新の手法を取り入れた生産技術のノウハウなどを生かし、製品の製造・開発に努めている。近年では、オリジナルブランド「ＦＵＬＬＣＬＩＰ」（商標登録第５６２６０３０号）として、フィッシング関連のアイテムを中心にバッグ、ポーチ、革小物、アパレル、ヘッドウェアーなどを展開している。
【００２３】
発明者は、主にフィッシング関連のアイテムの企画から製造、販売までを行っており、近年ではアウトドアバッグやカジュアルバッグも取り扱っている。そして、発明者は、バッグ職人として実用性を重視しており、「必要な物を収納しやすいこと。取り出しやすくて、そのあとにまた収納するときもスムーズなこと」にこだわってきた。
【００２４】
このこだわりから、発明者は、先の発明によって、ストラップをたすき掛けにしたまま片手で長さを調節できるストラップ（特許第６０５５９６９号）と、標準的なストラップに比べて長さ調節機能を約２倍に向上させたストラップ（特開２０１５−７７２５２号）を開発した。そして、出願人は、体への負担を軽減させるため、ショルダーバッグを背中に密着させて背負うことを勧めてきた。
【００２５】
そこで、出願人は、体格の小さなお客様に合わせて標準的なストラップを短く直すサービス、例えばズボンの裾上げのようなサービスを無料で行っている。ここで、ストラップを短く直すには、商品を会社に持ち帰り、ミシン掛けされた肩ひもをほどき、肩ひもを切り詰めてから、肩ひもをミシン掛けし直す必要があった。
【００２６】
このサービスについて、発明者は、購入した商品をその場でお持ち帰りいただけないことで、お客様にご迷惑をお掛けしているのではないかと考えるようになった。
【００２７】
そうしたところ、発明者は、通信販売で商品を購入したお客様から、ストラップを長く直してほしいとのご依頼があることに注目した。また、発明者は、接客をしていたところ、体格が一段と大きいお客様が、ストラップが短いことを理由に購入を諦める場面に遭遇した。
【００２８】
そこで、発明者は、日本人の体格が多様化、特に欧米の人に引けを取らないくらい大きな人が増えていることから、標準的なストラップの長さを調節できる範囲では、体格の多様化に対応できなくなっていることに気づいた。そして、発明者は、ズボンの裾上げのように、ストラップを長めに作っておいて、お客様でも簡単に長さを短くできれば、体格の多様化に対応できることを見いだし、この発明を創作するに至ったものである。
【００２９】
次に、この発明の実施形態について、適宜図面を参照しながら詳細に説明する。図１は、実施形態に係るストラップが取り付けられたショルダーバッグの斜視図である。図１に示すように、ショルダーバッグ１は、ストラップ２とバッグ本体Ｂとを有して構成されている。ここでは、ストラップ２をバッグ本体Ｂから取り外せるように、ストラップ２をバッグ本体Ｂの両側面に設けられた係止具ｂ，ｂに引っ掛けるように構成されている。
【００３０】
図２は、実施形態に係るストラップ２の斜視図である。図２に示すように、ストラップ２は、ひも３と、長さ調節用器具（以下、コキという。）４と、環体（以下、コキカンという。）５，６とを有して構成されている。
【００３１】
ひも３は、ひも状の部材である。ひも３は、ショルダーバッグ１（図１参照）の場合には、たすき掛け、より具体的には肩から脇に斜めに掛けて、バッグ本体Ｂ(図１参照)を背負えるようにする部材である。
【００３２】
コキ４は、枠状の部品であって、枠体４ａと、枠体４ａの内側に配設された中軸４ｂとからなる。コキ４は、ひも３をずれないように固定し、ひも３の長さを調節する部品である。
【００３３】
コキカン５，６は、環状の部品であり、環にひも３をすり回るようにと、すり動くように保持する部品である。コキカン５，６は、ここでは図１に示すように、ストラップ２をバッグ本体Ｂ(図１参照)から取り外せるように鉤（かぎ）形のものが付いた、いわゆるナスカンである。
【００３４】
図２に示すように、実施形態に係るストラップ２では、ひも３が二重になる長さを変えてストラップ２の長さを調節できるよう、コキ４に通されたひも３がコキカン６に通されてから、再びコキ４に通されている。ひも３の通し方をより詳しく説明すると、実施形態に係るストラップ２では、コキの中軸４ｂに通されたひもの一端３ａが、コキカン５の環に通され、コキカン５の環に巻き付いた状態でひも３と一緒にミシン掛けされて、ひも３がコキカン５にすり回るよう取り付けられている。また、コキの中軸４ｂに通されたひもの他端３ｂが、コキカン６の環にすり動くように通されている。そして、コキカン６の環にすり動くように通されたひもの他端３ｂが、再びコキの中軸４ｂに通されてから、中軸４ｂに取り外し可能に取り付けられている。
【００３５】
次に、実施形態に係るストラップ２について、標準的な長さを調節できるストラップと対比しながら詳細に説明する。図３の（ａ）は、実施形態に係るストラップ２の要部斜視図であり、図３の（ｂ）は、標準的な長さを調節できるストラップの要部斜視図である。
【００３６】
図３の（ａ）に示すように、実施形態に係るストラップ２では、ひもの他端３ｂがコキの中軸４ｂに取り外し可能に取り付けられている点で、標準的な長さを調節できるストラップと大きく異なる。
【００３７】
ここで、図３の（ｂ）に示すように、標準的な長さを調節できるストラップＳ２は、図示しないコキカンに通されたひもの他端Ｓ３ｂが、コキの中軸４ｂに巻き付いた状態でひもＳ３と一緒にミシン掛けされて、中軸４ｂに取り付られている。そして、標準的な長さを調節できるストラップＳ２は、ひもの他端Ｓ３ｂがひもＳ３と一緒にミシン掛けされているため、ひもＳ３を中軸４ｂから取り外せないようになっている。
【００３８】
図３の（ａ）に示すように、実施形態に係るストラップ２では、ひも３をコキの中軸４ｂの下から通している点で、一見するとひもの通し方が標準的な長さを調節できるストラップＳ２と異なるように思えるところ、ひも３を中軸４の下から通すか上から通すかのわずかな違いである。なお、実施形態に係るストラップ２では、ひもの他端３ｂを巻き取りやすいよう、他端３ｂが外側に向くようにひも３を中軸４ｂの下から通しているところ、他端３ｂが内側に向いても構わなければ、標準的な長さを調節できるストラップＳ２と同じようにひも３を中軸４の上から通しても構わない。
【００３９】
図４は、実施形態に係るストラップ２の長さを調節する仕組みを説明する斜視図である。図４の（ａ）は調節前の状態を示す斜視図であり、図４の（ｂ）は調節途中の状態を示す斜視図であり、図４の（ｃ）は調節後の状態を示す斜視図である。
【００４０】
図４の（ａ）に示すように、実施形態に係るストラップ２は、ひもの他端３ｂに一対の羽状部７，７が形成され、その羽状部７，７に面ファスナー７ａ，７ａが取り付けられている。
【００４１】
図４の（ｂ）に示すように、実施形態に係るストラップ２では、ストラップ２の長さをより短い範囲で調節、より詳しくはひも３が二重になる長さ（図２参照）を変えてストラップ２の長さを調節できる範囲（以下、標準的な長さを調節できる範囲という。）を超えて、より短い範囲でストラップ２の長さを調節する場合には、ひもの他端３ｂを矢印で示すように、必要に応じて数回転ほど巻き取る。
【００４２】
図４の（ｃ）に示すように、実施形態に係るストラップ２では、ひもの他端３ｂを数回転ほど巻き取った状態で、直下のひも３を抱き込むように羽状部の面ファスナー７ａ，７ａを係合させて、コキの中軸４ｂに取り付ける。
【００４３】
ここでは、標準的な長さを調節できる範囲を超えてストラップ２の長さを短くする場合について説明したが、標準的な長さを調節できる範囲を超えて、長い範囲でストラップ２の長さを調節する場合には、ひもの他端３ｂの巻き取り回数を減らしたり、巻き取りをなくしたりする。
【００４４】
このように、実施形態に係るストラップ２では、ひもの他端３ｂに面ファスナー７ａ，７ａを有する一対の羽状部７，７が設けられているために、簡単にひも３をコキの中軸４ｂから取り外せ、取り付けられる。そして、実施形態に係るストラップ２では、標準的な長さを調節できるストラップと同じように、ひも３が二重になる長さを変えてストラップ２の長さを調節することに加えて、ひもの他端３ｂの巻き取り回数を変えてストラップ２の長さを調節するために、標準的なストラップよりも長さを調節できる範囲が大きくなる。
【００４５】
図５は、他の実施形態に係るストラップの斜視図である。図５に示すように、他の実施形態に係るストラップ２１では、ひもの一端３１ａもコキカン５に取り外し可能に取り付けられている。このように、他の実施形態に係るストラップ２１では、ひも３１の両端（一端３１ａ，他端３１ｂ）で巻き取り回数を変えてストラップ２１の長さを調節できるために、実施形態に係るストラップ２よりも長さを調節できる範囲が大きい。
【００４６】
図６は、他の実施形態に係るストラップの斜視図である。図６に示すように、他の実施形態に係るストラップ２２では、ひもの他端３２ｂがクリップ８によってひも３２と一緒に留められている。
【００４７】
図７は、他の実施形態に係るストラップが取り付けられたボディーバッグの斜視図である。図７に示すように、他の実施形態に係るストラップ２３では、ひもの一端３３ａもコキ４に取り外し可能に取り付けられている。そして、他の実施形態に係るストラップ２３では、ひも３３の両端（一端３３ａ，他端３３ｂ）で巻き取り回数を変えてストラップ２３の長さを調節できるために、実施形態に係るストラップ２よりも長さを調節できる範囲が大きい。そこで、他の実施形態に係るストラップ２３をボディーバッグ１１に取り付けると、肩掛けのショルダーバッグとしても、腰巻きのウエストバッグやヒップバッグとしても使える。
【００４８】
以上、この発明の実施形態について説明したが、この発明は前記実施形態には限定されない。例えば、実施形態に係るストラップ２では、ショルダーバッグ１に取り付けられる場合について、他の実施形態に係るストラップ２３では、ボディーバッグ１１に取り付けられる場合について説明したが、例えばトートバッグ、ウエストバッグ、バッグパックなどのバッグでも構わない。さらに、バッグ以外でも、例えばカメラのストラップ、抱っこひも、ギターのストラップでも構わない。
【００４９】
また、実施形態に係るストラップ２では、バッグ本体Ｂから取り外せるように、コキカン５，６としてナスカンを用いたが、ストラップ２をバッグ本体Ｂに取り付ける場合にはコキカンで構わない。
【符号の説明】
【００５０】
２    ストラップ
３    ひも
３ａ  一端
３ｂ  他端
４    長さ調節用器具（コキ）
４ａ  枠体
４ｂ  中軸
５    環体（コキカン）
６    環体（コキカン）
７    羽状部
７ａ  面ファスナー
【図１】
2019084087.tif 000003
【図２】
2019084087.tif 000004
【図３】
2019084087.tif 000005
【図４】
2019084087.tif 000006
【図５】
2019084087.tif 000007
【図６】
2019084087.tif 000008
【図７】
2019084087.tif 000009